(57)【特許請求の範囲】
【請求項１】
外側ケースとエスカッションで、内側ケースを内包している表示装置において、
上部開口で底板に連設した側板のうち少なくとも１つの前記側板が他の前記側板より高さが低い側板に係止爪を有する前記外側ケースと、前記内側の高さが低い側板と、前記内側の高さが低い側板の反対側の側板には前記内側ケースを係止する内側係止爪とストッパを備え前記エスカッションは、上板に連接した側板のうち一つの前記側板が他の前記側板よりも高さが高い側板を有し、前記上板に貫通穴と、前記高さが高い側板には係合穴又は係合溝を備え、前記内側ケースは、画情報を表示させる表示画面を有する表示手段と前記表示手段を照明する照明手段とを、前記表示手段が前記エスカッションの前記貫通穴側に、前記照明手段が前記外側ケースの前記底板側にそれぞれ位置するように、所定の間隔をあけて互いに略平行となるように収容し、前記内側ケースの底板は周縁部を備え、前記外側ケースの前記内側係止爪と前記ストッパーで前記内側ケースの底板の周縁部を係止し、前記外側ケースの他の側板より高さが低い側板と前記エスカッションの他の側板より高さが高い側板とが略同一面上に位置し、前記外側ケースの前記係止爪と前記エスカッションの前記係合穴又は係合溝で係合している表示装置。
【発明の詳細な説明】
【０００１】
【発明の属する技術分野】
本発明は、車両に搭載されるオーディオ機器に設けられる表示装置に関し、詳しくは省スペース化及び組立工程の簡素化を図ることのできる表示装置に関するものである。
【０００２】
【従来の技術】
図５及び図６に示されるように、従来、カーオーディオ等の車載用電子機器に設けられている表示装置９０は、文字や画像等の情報を表示することができる液晶ディスプレイ９１等が取り付けられているものがあった。液晶ディスプレイ９１は、非発光性であるため、見易さの向上及び暗所での使用を可能にする目的で表示画面の背面にバックライトを設ける必要がある。パイロットランプ９２からなるバックライトと液晶ディスプレイ９１との距離が近接している場合、液晶ディスプレイ９１の表示画面に照明の明るい部分と暗い部分とが生じて表示むらの原因になるのでパイロットランプ９２と液晶ディスプレイ９１とは所定間隔を設ける必要がある。そのため、パイロットランプ９２が取り付けられているプリント基板９３と液晶ディスプレイ９１とは、両者を所定の間隔を設けて取り付けることができ、液晶ディスプレイ９１の背面にパイロットランプ９２の光を照射するための貫通穴９４ａを有した内側ケース９４に取り付けられていた。
【０００３】
【発明が解決しようとする課題】
しかしながら、従来の表示装置９０では、プリント基板９３と液晶ディスプレイ９１が取り付けられている内側ケース９４は、外側ケース９５の底部にネジ９６で固定されることで外側ケース９５とエスカッション９７から形成される筐体内部に取り付けられていた。そのため、内側ケース９４にはネジ止め固定用のネジ穴９４ｃを有する板部材９４ｂが必要となり、外側ケース９５にはネジボス９５ａが必要であった。また、外側ケース９５とエスカッション９７の取り付けもネジ９８で固定されることで取り付けられていたためネジ固定用のネジボス９５ｂ、９７ａが必要であった。そのため、内側ケース９４、エスカッション９７及び外側ケース９５のそれぞれに板部材９４ｂ、ネジボス９５ａ、９５ｂ、９７ａ分のスペースを余計に確保する必要があり、外形サイズが大きくなり省スペース化を図ることが難しいという問題があった。また、ネジ止め固定しているため、組立工程が増加するとともに組立時間が余計にかかってしまい作業効率の低下を招く等の問題があった。
【０００４】
本発明はこのような問題点を解決するためになされたもので、板部材９４ｂ、ネジボス９５ａ、９５ｂ、９７ａが不要でありネジボス板部材９４ｂ、ネジボス９５ａ、９５ｂ、９７ａのスペース分の外形サイズが小さくなり省スペース化を図ることが可能であり、またネジ止め固定していないため、組立工程の減少及び組立時間の短縮によって作業効率の向上を図ることが可能である表示装置および表示装置の組立方法を提供するものである。
【０００５】
本発明の表示装置は、外側ケースとエスカッションで、内側ケースを内包している表示装置において、上部開口で底板に連設した側板のうち少なくとも１つの前記側板が他の前記側板より高さが低い側板に係止爪を有する前記外側ケースと、前記内側ケースを係止する内側係止爪とストッパを前記内側の高さが低い側板と前記内側の高さが低い側板の反対側の側板に備え、前記エスカッションは、上板に連接した側板のうち一つの前記側板が他の前記側板よりも高さが高い側板を有し、前記上板に貫通穴と、前記高さが高い側板には係合穴又は係合溝を備え、前記内側ケースは、画情報を表示させる表示画面を有する表示手段と前記表示手段を照明する照明手段とを、前記表示手段が前記エスカッションの前記貫通穴側に、前記照明手段が前記外側ケースの前記底板側にそれぞれ位置するように、所定の間隔をあけて互いに略平行となるように収容し、前記内側ケースの底板は周縁部を備え、前記外側ケースの前記内側係止爪と前記ストッパーで前記内側ケースの底板の周縁部を係止し、前記外側ケースの他の側板より高さが低い側板と前記エスカッションの他の側板より高さが高い側板とが略同一面上に位置し、前記外側ケースの前記係止爪と前記エスカッションの前記係合穴又は係合溝で係合していることを特徴とする構成を有している。
この構成によって、ネジボスを有する場合に比べて外形サイズを小さくすることが可能となり機器の省スペース化を図ることが可能であるとともに外側ケースの底板に連設した側板のうち少なくとも1つの1つの底板が他の測板よりも高さが低いので、容易に内側ケースに取り付けることができ組み立て時間の短縮を図ることができる。
【００１３】
【発明の実施の形態】
以下、本発明の実施の形態について、図面を用いて説明する。
【００１４】
まず、本発明の表示装置の構成について説明する。図１〜図４は本発明の表示装置の一実施形態を示す図である。図１及び図２に示されるように、本発明の一実施形態に係る表示装置１は、例えばカーオーディオ機器前面に配置されるエスカッション２と、エスカッション２に取り付けられ筐体を形成する外側ケース３と、外側ケース３とエスカッション２とによって形成される筐体の内部に画情報を表示する表示画面を有する表示手段としての液晶ディスプレイ４とプリント基板５とを、液晶ディスプレイ４はエスカッション２の貫通穴２ａ側、及び、プリント基板５は外側ケース３の底板３ａ側に、所定の間隔をあけるとともに互いに略平行に収容する内側ケース６とを備えている。
【００１５】
外側ケース３は、矩形形状の底板３ａと底板３ａの周端から底板３ａに対して略垂直に連設された４つの側板３ｂ、３ｃ、３ｄ、３ｅを有し、底板３ａの反対側に位置する外側ケース３の上部は開口している。４つの側板３ｂ〜３ｅは、３つの側板３ｃ、３ｄ、３ｅ、すなわち底板３ａの長手方向に対して略垂直に設けられている２つの側板３ｃ、３ｅと、底板３ａの長手方向に対して略平行に設けられている１つの側板３ｄの高さは同一であって、底板３ａの長手方向に対して略平行に設けられているもう１つの側板３ｂの高さが他の側板３ｃ、３ｄ、３ｅの高さに比べて低くなっている。
【００１６】
外側ケース３の底板３ａに設けられている２つの側板３ｂ、３ｄの内側には内側ケース６を係止する係止部としての爪３ｆが設けられている。爪３ｆは、内側ケース６の側板６ｂ、６ｃ、６ｄ、６ｅの上板６ａ側の反対側端部に設けられた内側ケース６の底板としての板部材６ｆに係合することで、プリント基板５が外側ケース３の底板３ａ側に収容されるように内側ケース６を取り付けている。
【００１７】
外側ケース３の底板３ａに設けられ他の３つの側板３ｃ、３ｄ、３ｅに比べて高さが低い側板３ｂの底板３ａ側の反対側の端部には、側板３ｂ端部から所定の長さを有して立設している係止爪３ｇが設けられている。係止爪３ｇは、エスカッション２の短手方向一端に設けられている側板２ｃに設けられた係合穴２ｇと係合している。また、外側ケース３の底板３ａに設けられた側板３ｃ、３ｅの外側にも係止爪３ｈが設けられており、係止爪３ｈは、エスカッション２の長手方向に対して略垂直な端縁から連設された側板２ｆに設けられた係合穴２ｈと係合している。
【００１８】
なお、外側ケース３の底板３ａの周端に設けられている側板３ｂ〜３ｅのうちで、底板３ａの長手方向に対して略平行な一端に設けられている１つの側板３ｂだけでなく、底板３ａの長手方向に対して略平行な両端に設けられている２つの側板３ｂ、３ｄの高さが他の側板３ｃ、３ｅに比べて低くなっていてもよい。
【００１９】
エスカッション２は、矩形形状の上板２ｂと上板２ｂの周端から上板２ｂに対して略垂直に連設された４つの側板２ｃ、２ｄ、２ｅ、２ｆとを有している。上板２ｂには、矩形形状の貫通穴２ａが設けられており、内側ケース６に収容された液晶ディスプレイ４を視認することができる。上板２ｂの周端に略垂直に連設された４つの側板２ｃ〜２ｆには、外側ケース３の側板３ｂ、３ｃ、３ｅに外向きに設けられている係止爪３ｇ、３ｈに対応した所定の位置に、係止爪３ｇ、３ｈに係合する係合穴２ｇ、２ｈが設けられている。エスカッション２は、側板２ｃ、２ｄ、２ｆの所定の位置に設けられている係合穴２ｇ、２ｈを外側ケース３の係止爪３ｇ、３ｈに係合することによって、外側ケース３の底板３ａの反対側の上部の開口を閉じて筐体を形成している。
【００２０】
なお、エスカッション２の側板２ｃ〜２ｆの外側ケース３に設けられている係止爪３ｇ、３ｈに対応した所定の位置には、図３に示されるように、係合溝８等、係止爪３ｇ、３ｈに係合するものであれば穴以外の形状のものが設けられてもよい。
【００２１】
内側ケース６は、矩形形状の上板６ａと上板６ａの周端から上板６ａに対して略垂直に連設された４つの側板６ｂ、６ｃ、６ｄ、６ｅとを有している。上板６ａには、液晶ディスプレイ４の背面にパイロットランプ７の光を照射するための矩形形状の貫通穴６ｇが設けられており、貫通穴６ｇを塞ぐようにして液晶ディスプレイ４が取り付けられている。また、内側ケース６の内部には、液晶ディスプレイ４を背後から照射するパイロットランプ７を配設したプリント基板５が取り付けられている。プリント基板５の取付位置は、液晶ディスプレイ４の表示画面の照明が均一になるようにパイロットランプ７と液晶ディスプレイ４とを所定間隔を隔てて側板６ｂ〜６ｅ内面の上板６ａ側の反対側端部近傍に取り付けられている。側板６ｂ〜６ｅの上板６ａ側の反対側端部には、外側ケース３に係止されるための内側ケース６の底板としての板部材６ｆが側板６ｂ〜６ｅに対して垂直及び外向きに設けられている。
【００２２】
次に、作用について説明する。本実施形態の表示装置１は、図１に示されるように、外部ケース３の側板３ｂが他の側板３ｃ〜３ｅよりも高さが低いため、外部ケース３の上部が広く開口され、内側ケース６を容易に外側ケース３へ組み込みことができ、内側ケース６の板部材６ｆと外側ケース３の側板３ｂおよび３ｄの内側の係止爪３ｆ、ストッパー３ｉとが係止され外側ケース３と内側ケース６とが固定される。さらに、エスカッション２の上板２ｂが内側ケースの上板６ａを、エスカッション２の側板２ｃが内側ケースの側板６ｂをそれぞれ覆うように位置してエスカッション２の側板２ｃに備えられた係合穴２ｇと外側ケース３の側板３ｂに設けられた係止爪３ｇとが係合し、また、エスカッション２の側板２ｅの内側に備えられた係合溝２ｊと外側ケース３の側板３ｄに設けられた係止爪３ｊとが係合する。これにより内側ケース６が外側ケース３とエスカッション２とが成す筐体に内側ケース６が内包される。
【００２３】
内側ケース６の外側ケース３への取り付けは、外側ケース３の底板３ａ周端から略垂直に連設された側板３ｂ〜３ｅのうち、底板３ａの長手方向に対して略平行な一端から垂設された１つの側板３ｂの高さが他の側板３ｃ〜３ｅの高さに比べて低くなっているので、図４に示されるように、内側ケース６を高さが低い側板３ｂ側に斜めに傾けて、外側ケース３の底板３ａと内側ケース６の板部材６ｆとが鋭角を成すように外側ケース３の内側に入れることができる。斜めに傾けながら外側ケース３の内側に入れられた内側ケース６は、まず、内側ケース６の板部材６ｆを高さが低い側板３ｂの内側に設けられた係止爪３ｆに係止し、次に板部材６ｆが係止爪３ｆに係止された状態を保ちながら、係止爪３ｆに係止された板部材６ｆの周端を回転軸として内側ケース６を矢印Ａ方向に回動する。そうすることで、係止されていない側の板部材６ｆが、高さが低い側板３ｂの反対側の側板３ｄの内側に設けられた係止爪３ｆに係止するので内側ケース６は外側ケース３の内部に取り付けることができる。
【００２４】
このように本実施形態では、内側ケース６を斜めに傾けながら外側ケース３の内部に入れることができ、簡単に内側ケース６を外側ケース３に取り付けることが可能であるため、組立時間が短縮されて作業効率の向上を図ることができる。また、内側ケース６と外側ケース３との取り付けにおいて、ネジ等の他の部品を用いていないので、例えばネジの場合であればネジボス分のスペースがいらないため外形サイズが小さくなり省スペースを図ることができる。さらに、ネジ止め固定していないため組立工程が減少して組立時間は短縮し作業効率の向上を図ることができる。
【００２５】
また、外側ケース３とエスカッション２とは係止爪３ｇ、３ｈと係合穴２ｇ、２ｈとを係合することで簡単に取り付けることができるので、組立時間が短縮されて作業効率の向上を図ることができる。また、外側ケース３とエスカッション２との取り付けにおいて、ネジ等の他の部品を用いていないので、例えばネジの場合であればネジボス分のスペースがいらないため外形サイズが小さくなり省スペースを図ることができる。さらに、ネジ止め固定していないため組立工程が減少して組立時間は短縮するので作業効率の向上を図ることができる。
【００２６】
【発明の効果】
以上説明したように本発明は、外側ケースの底板に連設される側板のうち少なくとも１つの側板が他の側板よりも高さが低いので容易に内側ケースを外側ケースに取り付けることができるとともに外側ケースとエスカッションとを係合させて組み立てるので、ネジボスを有する場合に比べて外形サイズを小さくすることができて機器の省スペース化を図ることが可能であるとともに組立工程の減少及び組立時間の短縮による作業効率の向上を図ることが可能である表示装置および表示装置の組立方法を提供することができる。
【図面の簡単な説明】
【図１】本発明の一実施形態の表示装置の側面断面図
【図２】図１に示す表示装置の分解斜視図
【図３】本発明の一実施形態の表示装置の側面断面図
【図４】図１に示す表示装置を組み立てる状態の側面断面図
【図５】従来の表示装置の正面断面図
【図６】従来の表示装置の分解斜視図
【符号の説明】
３ａ  底板
３ｂ、３ｃ、３ｄ、３ｅ  側板
３  外側ケース
２ａ  上板
２ｃ、２ｄ、２ｅ、２ｆ  側板
２ａ、２ｇ  貫通穴
２  エスカッション
４  液晶ディスプレイ（表示手段）
７  パイロットランプ（照明手段）
６  内側ケース
３ｇ、３ｈ  係止爪
２ｇ、２ｈ  係合穴
８  係合溝
３ｆ  爪（係止部）
６ｆ  板部材（底板）
【図１】
0004422370.tif 000002
【図２】
0004422370.tif 000003
【図３】
0004422370.tif 000004
【図４】
0004422370.tif 000005
【図５】
0004422370.tif 000006
【図６】
0004422370.tif 000007